(57)【要約】      （修正有）【課題】板ガラスなどの被包装体の角などを保護して、被包装体が割れないように保護する包装用緩衝具を提供する。【解決手段】包装用緩衝具１の表面体、裏面体３、周縁面体４、５は、被包装体Ｇの角Ｃとこの角Ｃ付近とを覆う。この周縁面体４、５の内面には、周縁突部６…が多数突設され、この周縁突部６…は、被包装体Ｇの角Ｃには接触・当接せず、被包装体Ｇの周縁にのみ当接し、角Ｃが何処にも接触しない浮いた状態となる。これにより、包装用緩衝具１に衝撃が加わっても、被包装体Ｇの覆体には衝撃が伝わらない。方形枠状の覆体は、包装用緩衝具１の外側を覆い、被包装体Ｇの周縁を覆う。締付体は、覆体の外側から、この覆体を上記被包装体Ｇに対して締め付けるとともに、この覆体を挟んで包装用緩衝具１に当接する。これにより、包装用緩衝具１が角Ｃからずれず角Ｃが保護される。【選択図】図５
0003144666.tif 000002
【実用新案登録請求の範囲】
【請求項１】
衝撃が加わることによって破損しやすい被包装体の角とこの角付近とを覆う面体と、
この面体の内面に形成され、上記被包装体の角には当接せず、この角付近に当接する突部とを備えたことを特徴とする包装用緩衝具。
【請求項２】
上記破損しやすい被包装体は方形板ガラスであり、
上記面体は、方形板ガラスの角と角付近の板面の表裏側と、この角と角付近の周縁面とを覆い、
上記突部は、周縁面側の面に形成され、板面側の面に形成されていないことを特徴とする請求項１記載の包装用緩衝具。
【請求項３】
上記破損しやすい被包装体は方形板ガラスであり、
上記面体は、方形板ガラスの角と角付近の板面の表裏側と、この角と角付近の周縁面とを覆い、
上記突部は、周縁面側の面及び板面側の面に形成され、板面側の面体には、穴が形成されていることを特徴とする請求項１または２記載の包装用緩衝具。
【請求項４】
上記破損しやすい被包装体は方形板ガラスであり、
上記面体は、方形板ガラスの角と角付近の板面の表裏側と、この角と角付近の周縁面とを覆い、
上記突部は、周縁面側の面及び板面側の面に形成され、板面側の面体の突部は長細く、上記角の二等分線方向に延びているまたは上記方形板ガラスの対角線方向に延びていることを特徴とする請求項１、２または３記載の包装用緩衝具。
【請求項５】
上記突部は頂部が尖っており、この尖った頂部が破損しやすい被包装体に当接することを特徴とする請求項１、２、３または４記載の包装用緩衝具。
【請求項６】
上記突部は頂部が平坦であり、この平坦な頂部が破損しやすい被包装体に当接することを特徴とする請求項１、２、３、４または５記載の包装用緩衝具。
【請求項７】
上記破損しやすい被包装体の角に取り付けられた包装用緩衝具の外側を覆い、かつ被包装体の周縁または周囲を覆う覆体をさらに備えたことを特徴とする請求項１、２、３、４、５または６記載の包装用緩衝具。
【請求項８】
上記覆体の外側から、この覆体を上記被包装体に対して締め付けるとともに、この覆体を挟んで上記包装用緩衝具に当接する締付体をさらに備えたことを特徴とする請求項７記載の包装用緩衝具。
【請求項９】
上記板面側の面は内側または上記被包装体に向かって湾曲していることを特徴とする請求項２、３または４記載の包装用緩衝具。
【考案の詳細な説明】
【技術分野】
【０００１】
本件考案は包装用緩衝具に関し、特にガラスなどの破損しやすい被包装体の包装用緩衝具に関する。
【背景技術】
【０００２】
ガラスなどの破損しやすい被包装体を、破損しないで運ぶ包装用緩衝具が種々考えられてきている。しかしながら、運搬中に落下などさせると、割れたり欠けたりするなど、破損させてしまうことがあった。
【０００３】
【特許文献１】実公平３−１１１９０号公報
【特許文献２】特開平０３−２３２２８３号公報
【特許文献３】特開平０８−１３０８１７号公報
【特許文献４】特開平０９−２６４９０４号公報
【考案の開示】
【考案が解決しようとする課題】
【０００４】
本考案は、上述した課題を解決するためになされたものであり、本考案の目的は、誤って落下させる等の衝撃が加わっても、被包装体が破損しない包装用緩衝具を提供することである。
【課題を解決するための手段】
【０００５】
上記目的を達成するため、本件考案の包装用緩衝具は、  衝撃が加わることによって破損しやすい被包装体の角とこの角付近とを覆う面体と、  この面体の内面に形成され、上記被包装体の角には当接せず、この角付近に当接する突部とを備えた。
【考案の効果】
【０００６】
これにより、被包装体を落下させても、被包装体が破損しない。実験でも１メートルの高さからコンクリート面などに落下させても、強化ガラスではない通常のガラスでもひび割れ、欠損、割れなどの破損が生じなかった。
【考案を実施するための最良の形態】
【０００７】
（１）包装用緩衝具１
図１、図２、図３及び図４は包装用緩衝具１の外観を示し、図５、図６及び図７は包装用緩衝具１の内部構造を示す。直角二等辺三角形の板状で同形同大の表面体２及び裏面体３は、板ガラスなどの衝撃が加わることによって破損しやすい被包装体Ｇの角Ｃとこの角付近の板面の表裏側を覆う。
【０００８】
この表面体２及び裏面体３の直角二等辺三角形の直角を挟む辺部分を繋ぐように細長い長方形状の周縁面体４、５が一体形成され、この周縁面体４、５は、上記被包装体Ｇの角Ｃ付近の周縁側に当接して覆う。
【０００９】
この周縁面体４、５の内面には、同形同大の多数の周縁突部６…が等間隔で一体形成されている。この周縁突部６…の頂部は尖っており、周縁突部６…の断面は三角形状であり、この尖った頂部が上記被包装体Ｇの周縁に当接する。この周縁突部６…は、表面体２及び裏面体３の直角の頂角付近、周縁面体４、５が互いに繋がる付近には形成されておらず、周縁突部６…は被包装体Ｇの角Ｃに接触・当接しない。
【００１０】
この周縁突部６…は、細長く突条形状をなしており、この突条の延びる方向は、被包装体Ｇの幅／厚さの方向とほぼ平行していて、被包装体Ｇの周縁方向とほぼ直交している。したがって、周縁突部６…は、被包装体Ｇの幅／厚さを横断する形状となっていて、被包装体Ｇの周縁を複数箇所で当接して支える。したがって、周縁突部６…被包装体Ｇの幅／厚さの方向、被包装体Ｇの周縁方向と斜めに交わる方向に延びてもよい。
【００１１】
これにより、包装用緩衝具１…を被包装体Ｇの四隅に装着して、被包装体Ｇを落下させても、この落下の衝撃がこの周縁突部６…に吸収され、被包装体Ｇが破損しない。このような包装用緩衝具１…は、被包装体Ｇに、セロハンテープなどの粘着テープ、紐などによって固定される。
【００１２】
この破損しない理由は、被包装体Ｇの角Ｃが、これらの周縁突部６…によって浮いた状態となり、被包装体Ｇの角Ｃは、周縁突部６…、周縁面体４、５に接触せず、または包装用緩衝具１の何処にも接触せず、落下しても角Ｃが何処にも接触しない形状になっているためである。また、被包装体Ｇの周縁に尖ったものが当たっても、複数の周縁突部６…によって、被包装体Ｇの周縁の一箇所に衝撃が集中せず、被包装体Ｇの周縁全体にわたって衝撃が分散されるためである。
【００１３】
このような周縁突部６…の高さは、周縁面体４、５、表面体２、裏面体３の厚さとほぼ同じで、周縁突部６…の間隔は、表面体２と裏面体３との間隔、または周縁面体４、５の幅とほぼ同じである。周縁突部６…の両端は、表面体２及び裏面体３に繋がっている。
【００１４】
上記直角二等辺三角形の表面体２及び裏面体３の直角の角よりやや内側には円形の円穴１１、１１が形成され、表面体２及び裏面体３のほぼ中央には、細長い長穴１２…が２つずつ形成され、上記直角二等辺三角形の斜辺の両端付近には、やや長い短穴１３…が、表面体２及び裏面体３に２つずつ形成されている。
【００１５】
これらの長穴１２…及び短穴１３…は、上記二等辺三角形の直角の角の二等分線方向に延びているまた上記方形状の被包装体Ｇの対角線方向に延びている。これにより、表面体２及び裏面体３が湾曲し過ぎて表面体２及び裏面体３が被包装体Ｇに強く接触しても、この長穴１２…及び短穴１３…の部分で摩擦を減らして、包装用緩衝具１、表面体２または裏面体３が変形しても、包装用緩衝具１が被包装体Ｇから抜けにくくなることがない。
【００１６】
また、上記直角二等辺三角形の直角を挟む二辺に沿った、上記表面体２及び裏面体３の内面には、この直角の角から斜辺の両端まで辺縁突部７…がそれぞれ形成されている。また、上記長穴１２…と短穴１３…との間には間突部８…が、表面体２及び裏面体３に２つずつ形成されている。さらに、上記長穴１２、１２と円穴１１との間には中央突部９…が、表面体２及び裏面体３に２つずつ形成されている。
【００１７】
これら間突部８…及び中央突部９…は、上記二等辺三角形の直角の角の二等分線方向に延びているまた上記方形状の被包装体Ｇの対角線方向に延びている。上記直角二等辺三角形の斜辺の両端付近には、三角形状の端突部１０…が、表面体２及び裏面体３に２つずつ形成されている。
【００１８】
これら辺縁突部７…、間突部８…、中央突部９…、端突部１０…の断面形状は台形または方形で頂部は平坦となっている。間突部８…及び中央突部９…は、辺縁突部７…から直角三角形の斜辺付近までほぼ平行に延びている。間突部８…の幅は、中央突部９…の幅よりかなり広く、数倍の幅となっている。これら辺縁突部７…、間突部８…、中央突部９…、端突部１０…の厚さは、表面体２及び裏面体３の厚さより小さく、数分の一、例えば１／５となっている。
【００１９】
上記辺縁突部７…は被包装体Ｇの角Ｃに接触・当接している。しかし、角Ｃの側面から接触・当接しているので、被包装体Ｇを落下させても、この落下の衝撃が被包装体Ｇの角Ｃに伝わらない。むろん、辺縁突部７…の角Ｃ付近に凹部が形成され、または辺縁突部７…が全て省略されて、被包装体Ｇの角Ｃが完全に浮いた状態になってもよい。
【００２０】
上記表面体２及び裏面体３は、互いに内側または被包装体Ｇに向かって若干湾曲していて、被包装体Ｇに対して加圧が働いている。これにより、包装用緩衝具１が被包装体Ｇから容易に外れない。また、中央突部９…の幅は、間突部８…の幅よりかなり狭くて細い、つまり突起７…、８…、９…の各幅は、表面体２及び裏面体３の端から中央へ向かうにしたがって、または被包装体Ｇの周縁から内側に向かうにしたがって、細くなるつまり摩擦が小さくなる。
【００２１】
したがって、表面体２及び裏面体３が内側に湾曲しても、中央突部９…付近の被包装体Ｇへの全体加圧力を弱くして、表面体２及び裏面体３から被包装体Ｇへの加圧力をほぼ均一にできて、被包装体Ｇを安定させ、被包装体Ｇの破損を防止できる。
【００２２】
間突部８…及び中央突部９…は、辺縁突部７…から直角三角形の斜辺付近までほぼ平行に延びているので、被包装体Ｇが包装用緩衝具１に装着されたり取り外されたりされるときに、被包装体Ｇの角Ｃや辺縁が間突部８…または中央突部９…に当たらず、摩擦が少なくなる。
【００２３】
周縁突部６…の厚さ／高さは、辺縁突部７…、間突部８…、中央突部９…、端突部１０…の厚さ／高さより、厚い／高い。これにより、被包装体Ｇが割れるような被包装体Ｇの周縁への衝撃をより完全に吸収できる。
【００２４】
また、周縁突部６…の頂部は尖って、辺縁突部７…、間突部８…、中央突部９…、端突部１０…の頂部は平坦である。これにより、被包装体Ｇが割れるような被包装体Ｇの周縁への衝撃を吸収するとき、平坦な突部７…、８…、９…、１０…で被包装体Ｇがズレにないように保持でき、被包装体Ｇに対して包装用緩衝具１がずれないように保持できる。
【００２５】
包装用緩衝具１、表面体２、裏面体３、周縁面体４、５…の材質は、ポリエチレンなどの合成樹脂、硬質樹脂などからなっている。これにより、軽量で安価で変形しにくく、被包装体Ｇの角Ｃ衝撃で何かが当たることがなくなる。なお、包装用緩衝具１の材質は、ポリプロピレンなどでもよく、天然樹脂、厚みのある軟質樹脂、紙、木、竹、布、ゴムなどでもよい。
【００２６】
表面体２及び裏面体３の間隔、つまり周縁面体４、５の幅は、包装する被包装体Ｇの幅／厚さに応じて大きくなったり小さくなったりする。周縁面体４、５の長さはほとんど変化しない。しかし被包装体Ｇの大きさに応じて変化してもよい。
【００２７】
（２）覆体２０及び締付体３０
図８及び図９は覆体２０及び締付体３０を示す。覆体２０は、上記被包装体Ｇの角Ｃに取り付けられた包装用緩衝具１の外側をさらに覆い、かつ被包装体Ｇの周縁または周囲を覆う。締付体３０は、上記覆体２０の外側から、この覆体２０を上記被包装体Ｇに対して締め付けるとともに、この覆体２０を挟んで上記包装用緩衝具１に当接する。
【００２８】
すなわち、上記被包装体Ｇの４つの角Ｃには、包装用緩衝具１が装着され、被包装体Ｇの全周囲または全周縁には覆体２０が隙間なく装着されている。この覆体２０は細長い板状のボール紙などからなり、中央中心線に沿って断面「Ｕ字状」に折り曲げられて凹部２１が形成されている。この凹部２１内に、上記包装用緩衝具１が装着された被包装体Ｇが収容される。
【００２９】
この覆体２０は方形枠状で、被包装体Ｇの周縁または周囲の寸法とほぼ同じまたは若干大きい。したがって、覆体２０は、被包装体Ｇの周縁または周囲を隙間なく覆うことができる。これにより、被包装体Ｇの角Ｃだけでなく、角Ｃと角Ｃとの間の被包装体Ｇの周縁部分または周囲部分も保護できる。
【００３０】
この覆体２０の四辺に沿って、覆体２０の外側から、四本のバンド状の上記締付体３０が覆体２０の表裏にわたって巻き付けるように取り付けられている。この締付体３０は、荷物締付用／梱包用の硬質樹脂バンドであり、四辺の覆体２０を周回して巻き付けられ、締付体３０の周回した端が締付体３０に溶着されて溶着部３１となり、締付体３０はリング状に固定される。
【００３１】
したがって、締付体３０は、上記覆体２０を上記被包装体Ｇに対して締め付ける。また、締付体３０は、覆体２０を挟んで包装用緩衝具１に外側から当接する位置に取り付けられ固定される。これにより、包装用緩衝具１が被包装体Ｇの角Ｃからずれず、包装用緩衝具１が被包装体Ｇの角Ｃに対してずれないように強固に固定される。したがって、包装用緩衝具１が被包装体Ｇの角Ｃにズレないように固定され、被包装体Ｇがしっかりと保護され、被包装体Ｇが割れたり破損したりしない。
【００３２】
（３）第二実施例
図１０は包装用緩衝具１の第二実施例を示す。被包装体Ｇは直方体または立方体で、この角Ｃに包装用緩衝具１が当接される。他の構成・作用・効果は上述第一実施例と同じであり、説明を省略する。
【００３３】
直角三角形状の三枚の側面体４１…は互いに直交するように繋がり、三角錐状となっている。この側面体４１…の内面には、同形同大の多数の側面突部４２…が一体形成されている。この側面突部４２…の頂部は尖っており、側面突部４２…の断面は三角形状であり、この尖った頂部が上記被包装体Ｇの周縁に当接する。
【００３４】
この側面突部４２…は、側面体４１…の斜辺に平行で、それぞれも互いに平行で、斜辺から側面体４１…の頂角付近に向かって各間隔が徐々に広くなっている。これにより、側面体４１…の各側縁が広がるにしたがって、側面突部４２…の間隔が狭くなり、側面体４１…が撓んで被包装体Ｇに接触・当接してしまうことがなくなる。
【００３５】
この側面突部４２…は、側面体４１…の直角の頂角付近には形成されておらず、側面突部４２…は被包装体Ｇの角Ｃに接触・当接しない。これにより、破損・割れやすい角Ｃに外からの衝撃が伝わらない。
【００３６】
（４）他の実施の形態
本考案は、上記実施例に限定されず、種々変更可能である。例えば、周縁突部６…の断面形状は、三角形のほか、台形、長方形、平行四辺形、半円、半楕円などでもよく、周縁突部６…は細長い突条のほか、三角錐などの多角形錐、三角錐台などの多角形錐台、立方体・直方体などの多面体、半球、半惰円球といった、条形状ではなく点在する形態でもよく、複数の突条が交差する形状でもよく、これらが混在する形状でもよい。
【００３７】
周縁突部６…は同形同大ではなく、異なる形、異なる大きさが混在してもよく、等間隔ではなく、不等間隔で配置・配列・配在されてもよい。周縁突部６…被包装体Ｇの幅／厚さの方向または被包装体Ｇの周縁方向と、斜めに交わる方向、いずれかと直交する方向、いずれかと平行方向に延びてもよい。周縁突部６…の両端は、表面体２及び裏面体３に繋がっていなくてもよい。
【００３８】
辺縁突部７…、間突部８…、中央突部９…、端突部１０…の幅、厚さは、上述の物に限られず、中央突部９…が間突部８…または辺縁突部７…より幅が広くてもよいし狭くてもよし厚さが厚くても薄くてもよいというように、辺縁突部７…、間突部８…、中央突部９…、端突部１０…のいずれかが他より幅が広くてもよいし狭くてもよし厚さが厚くても薄くてもよい。
【００３９】
辺縁突部７…、間突部８…、中央突部９…、端突部１０…の延びる向きは、被包装体Ｇの角Ｃの二等分線方向に延びているまたは上記被包装体Ｇの対角線方向に延びているほか、これらと直交する方向に延びてもよい。これにより、包装用緩衝具１から被包装体Ｇが抜けにくくなる。また、周縁面体４、５…とほぼ平行でもよい。これにより、被包装体Ｇが抜くにくいものの、周縁面体４、５…と平行には抜け易くできる。さらに、これらの中間の方向でもよい。
【００４０】
周縁突部６…、辺縁突部７…、間突部８…、中央突部９…、端突部１０…の一部または全部は省略されてもよいし、その数は増えても減ってもよいし、さらに細かく分離分割されたり合体されたり、周縁面体４、５…、表面体２、裏面体３の一部または全部は省略されてもよいし、その数は増えても減ってもよいし、さらに細かく分離分割されたり合体されてもよい。
【００４１】
端突部１０…、円穴１１…、長穴１２…、短穴１３…の一部または全部は省略されてもよいし、その数は増えても減ってもよいし、さらに細かく分離分割されたり合体されたりしてもよい。
【００４２】
上記被包装体Ｇの角は直角以外に鋭角または鈍角でもよく、これに応じて表面体２及び裏面体３の頂角、つまり周縁面体４、５の互いになす角度も変化する。被包装体Ｇの角は多面状に凸状または凹状でもよく、これに応じて表面体２及び裏面体３は多面状に凸状または凹状になる。
【００４３】
被包装体Ｇは、ガラスのほか、強化ガラス、通常の石英ガラス、ガラス容器、水晶、陶磁器、陶器、漆器、アクリルなどの樹脂、骨董品など割れやすい物、破損しやすい物などが含まれる。被包装体Ｇは方形平板状のほか、多角形板状、円板状、立方体、直方体、多面体、球体、角柱体、角筒体、円柱体、円筒体、金平糖形、その他湾曲していてもよい。
【００４４】
上記覆体２０の材質はボール紙のほか、樹脂、木、竹、軟質の金属、綿、布、糸、繊維、ゴム、紙、ウレタン、発泡ウレタン、スポンジ、これらの２つまたは３つ以上の混合物などからなっていてもよい。締付体３０は、覆体２０を挟んで、包装用緩衝具１の外側に当たっていたが、包装用緩衝具１からずれて当たっていてもよい。
【００４５】
覆体２０は被包装体Ｇの周縁の全部のほか一部、例えば被包装体Ｇの角Ｃ付近を覆うものでもよい。覆体２０は折り曲げられた凹状のほか、棒状で覆体２０の周囲に接着されてもよいし、覆体２０の周縁だけでなく中央面など全面を覆ってもよいし、覆体２０の中央表面及び／または中央裏面の全部または一部を覆っても良い。この場合、覆体２０の中央表面及び／または中央裏面をクロス状、網状、縞状などに覆われる。
【００４６】
上記締付体３０は樹脂製のバンドのほか、繊維製、布製、糸製、ゴム製、紙製、これらの混合物などでもよく、バンド状のほか、幅が太い筒状、細長い紐状、糸状でもよく、網状でもよい。締付体３０は、被包装体Ｇの四辺付近だけでなく、中央部付近にも達していてもよく、巻回方向は被包装体Ｇの対角線方向、角Ｃと被包装体Ｇの四辺中央を結ぶ方向、四辺中央どうしを結ぶ方向に巻回されてもよく、巻回回数は一回だけでなく、複数回でもよく、螺旋状に巻回されてもよい。
【００４７】
包装用緩衝具１の材質は、ポリエチレン、ポリプロピレン、ポリスチレン、ポリカーボネード、ポリクロロトリフルオロエチレン、ポリウレタン、ポリアクリルアミド、ポリアクリル酸メチル、ポリアクリロニトリル、ポリ塩化ビニール、エチレン樹脂、スチレン樹脂、カーボネード樹脂、アクリル樹脂、ペット樹脂、これらの混合物などの高分子樹脂・硬質樹脂でもよいし、天然樹脂、厚みのある軟質樹脂でもよいし、紙、木、竹、布、ゴムなどでもよいし、これらの混合物でもよい。
【００４８】
（５）他の考案の効果
[１]衝撃が加わることによって破損しやすい被包装体の角とこの角付近とを覆う面体と、  この面体の内面に形成され、上記被包装体の角には当接せず、この角付近に当接する突部とを備えたことを特徴とする包装用緩衝具。
【００４９】
[２]上記破損しやすい被包装体は方形板ガラスであり、  上記面体は、方形板ガラスの角と角付近の板面の表裏側と、この角と角付近の周縁面とを覆い、  上記突部は、周縁面側の面に形成され、板面側の面に形成されていないことを特徴とする請求項１記載の包装用緩衝具。これにより、被包装体が割れるような被包装体の周縁への衝撃をより完全に吸収できる。
【００５０】
[３]上記破損しやすい被包装体は方形板ガラスであり、  上記面体は、方形板ガラスの角と角付近の板面の表裏側と、この角と角付近の周縁面とを覆い、  上記突部は、周縁面側の面及び板面側の面に形成され、板面側の面体には、穴が形成されていることを特徴とする請求項１または２記載の包装用緩衝具。
【００５１】
これにより、面体が被包装体に強く接触しても、穴の部分で摩擦を減らして、包装用緩衝具、面体が変形しても、包装用緩衝具が被包装体から抜けにくくなることがない。この穴が被包装体の角の二等分線方向に延びている、または被包装体の対角線方向に延びていてもよい。これにより、包装用緩衝具、面体が湾曲し過ぎて包装用緩衝具、面体が被包装体に強く接触しても、この穴の部分で摩擦を減らして、包装用緩衝具、面体が変形しても、包装用緩衝具が被包装体から抜けにくくなることがない。
【００５２】
[４]上記破損しやすい被包装体は方形板ガラスであり、  上記面体は、方形板ガラスの角と角付近の板面の表裏側と、この角と角付近の周縁面とを覆い、  上記突部は、周縁面側の面及び板面側の面に形成され、板面側の面体の突部は長細く、上記角の二等分線方向に延びているまたは上記方形板ガラスの対角線方向に延びていることを特徴とする請求項１、２または３記載の包装用緩衝具。これにより、上記突部が延びる方向に沿って包装用緩衝具が被包装体から取り外し易くなり、これ以外の方向には抜けにくくなる。
【００５３】
[５]上記突部は頂部が尖っており、この尖った頂部が破損しやすい被包装体に当接することを特徴とする請求項１、２、３または４記載の包装用緩衝具。これにより、被包装体が割れるような被包装体の周縁への衝撃をより完全に吸収できる。
【００５４】
[６]上記突部は頂部が平坦であり、この平坦な頂部が破損しやすい被包装体に当接することを特徴とする請求項１、２、３、４または５記載の包装用緩衝具。これにより、被包装体が割れるような被包装体への衝撃があっても、平坦な頂部の摩擦で被包装体がずれないように安定保持できる。
【００５５】
また、被包装体の周縁の突部の頂部が尖って、被包装体の板面の突部の頂部が平坦であれば、被包装体が割れるような被包装体の周縁への衝撃を吸収するとき、平坦な突部で被包装体がズレにないように保持でき、被包装体に対して包装用緩衝具がずれないように安定保持できる。被包装体の周縁の突部の厚さ／高さが、被包装体の板面の突部の厚さ／高さより、厚い／高ければ、被包装体が割れるような被包装体の周縁への衝撃をより完全に吸収できる。
【００５６】
[７]上記破損しやすい被包装体の角に取り付けられた包装用緩衝具の外側を覆い、かつ被包装体の周縁または周囲を覆う覆体をさらに備えたことを特徴とする請求項１、２、３、４、５または６記載の包装用緩衝具。これにより、被包装体の角が二重に保護されるほか、被包装体の角と角との間も保護され、被包装体が破損したり割れたりしにくくなる。
【００５７】
[８]上記覆体の外側から、この覆体を上記被包装体に対して締め付けるとともに、この覆体を挟んで上記包装用緩衝具に当接する締付体をさらに備えたことを特徴とする請求項７記載の包装用緩衝具。これにより、包装用緩衝具が被包装体の角からずれず、包装用緩衝具の角が充分に保護され、被包装体が破損したり割れたりしない。
【００５８】
[９]上記板面側の面は内側または上記被包装体に向かって湾曲していることを特徴とする請求項２、３または４記載の包装用緩衝具。これにより、包装用緩衝具、面体から被包装体に対して加圧が働き、被包装体が包装用緩衝具から抜けにくくなる。
【００５９】
[１０]上記包装用緩衝具の素材は、ポリエチレン、ポリプロピレン、ポリスチレン、ポリカーボネード、ポリクロロトリフルオロエチレン、ポリウレタン、ポリアクリルアミド、ポリアクリル酸メチル、ポリアクリロニトリル、ポリ塩化ビニール、エチレン樹脂、スチレン樹脂、カーボネード樹脂、アクリル樹脂、ペット樹脂などの高分子樹脂・硬質樹脂であることを特徴とする請求項１、２、３、４、５、７、８または９記載の包装用緩衝具。これにより、包装用緩衝具が変形しにくく、被包装体に衝撃が伝わりにくい、または被包装体の角に衝撃が伝わりにくくなる。
【産業上の利用可能性】
【００６０】
板ガラスなどの被包装体の角などを保護して、被包装体が割れないように保護する。包装用緩衝具１の表面体２、裏面体３、周縁面体４、５は、被包装体Ｇの角Ｃとこの角Ｃ付近とを覆う。この周縁面体４、５の内面には、周縁突部６…が多数突設され、この周縁突部６…は、被包装体Ｇの角Ｃには接触・当接せず、被包装体Ｇの周縁にのみ当接し、角Ｃが何処にも接触しない浮いた状態となる。
【００６１】
これにより、包装用緩衝具１に衝撃が加わっても、被包装体Ｇの覆体２０には衝撃が伝わらない。方形枠状の覆体２０は、包装用緩衝具１の外側を覆い、被包装体Ｇの周縁を覆う。締付体３０は、覆体２０の外側から、この覆体２０を上記被包装体Ｇに対して締め付けるとともに、この覆体２０を挟んで包装用緩衝具１に当接する。これにより、包装用緩衝具１が角Ｃからずれず角Ｃが保護される。
【図面の簡単な説明】
【００６２】
【図１】包装用緩衝具１の外観正面図を示す。背面図は正面図と同一に表れる。
【図２】包装用緩衝具１の外観平面図を示す。
【図３】包装用緩衝具１の外観底面図を示す。
【図４】包装用緩衝具１の外観左側面図を示す。右側面図は左側面図と同一に表れる。  実線で表した部分が、部分意匠として意匠登録を受けようとする部分である。一点鎖線は、部分意匠として意匠登録を受けようとする部分とその他の部分との境界のみを示す線である。
【図５】包装用緩衝具１の内部構造断面図を示し、左側面縦断面図を示す。
【図６】包装用緩衝具１の内部構造断面図を示し、平面縦断面図を示す。
【図７】包装用緩衝具１の内部構造断面図を示し、正面横端面図（Ａ−Ａ端面図）を示す。
【図８】覆体２０及び締付体３０を示す。
【図９】覆体２０及び締付体３０を示す。
【図１０】包装用緩衝具１の第二実施例を示す。
【符号の説明】
【００６３】
１…包装用緩衝具、２…表面体、
３…裏面体、４、５…周縁面体、
６…周縁突部、７…辺縁突部、
８…間突部、９…中央突部、
１０…端突部、１１…円穴、
１２…長穴、１３…短穴、
２０…覆体、２１…凹部、
３０…締付体、３１…溶着部、
４１…側面体、４２…側面突起、
Ｇ…被包装体、Ｃ…角。
【図１】
0003144666.tif 000003
【図２】
0003144666.tif 000004
【図３】
0003144666.tif 000005
【図４】
0003144666.tif 000006
【図５】
0003144666.tif 000007
【図６】
0003144666.tif 000008
【図７】
0003144666.tif 000009
【図８】
0003144666.tif 000010
【図９】
0003144666.tif 000011
【図１０】
0003144666.tif 000012